(57)【要約】【課題】エネルギー消費量の低減が浴室換気乾燥暖房機を提供する。【解決手段】浴室換気乾燥暖房機１Ａは、空気を吸い込んで吹き出す循環換気ファン２Ａと、循環換気ファン２Ａで吹き出される空気を加熱するヒータ５を備え、温度センサ７で検出された温度情報に基づき、運転開始時にファン回転数とヒータ出力が設定される。【選択図】    図１
2015146833.tif 000002
【特許請求の範囲】
【請求項１】
空気を吸い込んで吹き出す送風手段と、
前記送風手段で吹き出される空気を加熱する加熱手段と、
取得した状態情報に基づき、エネルギー消費量が抑制されるように、前記加熱手段と前記送風手段の一方あるいは両方を制御する制御手段と
を備えたことを特徴とする送風装置。
【請求項２】
前記制御手段は、設置場所の状態を判断する基準となる環境把握情報を状態情報として取得し、取得した環境把握情報に基づき、エネルギー消費量が抑制されるように、前記加熱手段と前記送風手段の一方あるいは両方を制御する
ことを特徴とする請求項１に記載の送風装置。
【請求項３】
前記制御手段は、運転開始の状態で取得した環境把握情報に基づき、エネルギー消費量が抑制されるように、前記加熱手段と前記送風手段の一方あるいは両方を制御する基準運転情報と、基準運転情報での設定による運転開始後に取得した環境把握情報に基づき、前記加熱手段と前記送風手段の一方あるいは両方を制御する出力制御情報が設定される
ことを特徴とする請求項２に記載の送風装置。
【請求項４】
前記制御手段は、エネルギー消費量が設定された運転目標情報を状態情報として取得し、取得した運転目標情報に基づき、エネルギー消費量が抑制されるように、前記加熱手段と前記送風手段の一方あるいは両方を制御する
ことを特徴とする請求項１に記載の送風装置。
【請求項５】
設置場所の温度分布の層化を抑制する送風を行う送風補助手段を備えた
ことを特徴とする請求項１から請求項４のいずれか１項に記載の送風装置。
【発明の詳細な説明】
【技術分野】
【０００１】
本発明は、浴室等に設置され、温風あるいは室温に応じた空気を吹き出す送風装置に関する。
【背景技術】
【０００２】
従来から、浴室等の天井に設置され、温風あるいは室温に応じた空気を吹き出して、室内の暖房、室内にある被乾燥物の乾燥等の機能を実現した送風装置が提案されている。このような送風装置は、室内の空気を屋外に排気する換気の機能を持つものも多く、浴室換気乾燥暖房機と称されている。
【０００３】
浴室換気乾燥暖房機は、空気の吹出口をフロントパネルの下面に備え、吹出口が浴室内に面するように、浴室の天井に設置される。浴室換気乾燥暖房機では、室内を攪拌する空気の流れを発生させることで、被乾燥物の乾燥等に必要なエネルギーを低減させる技術が提案されている（例えば、特許文献１参照）。
【先行技術文献】
【特許文献】
【０００４】
【特許文献１】特開２０１３−９４１９９号公報
【発明の概要】
【発明が解決しようとする課題】
【０００５】
浴室換気乾燥暖房機では、通常、ファン回転数及びヒータ出力が運転モードに合わせて予め設定され、選択された運転モード毎に、予め設定されたファン回転数及びヒータ出力で運転が実行される。
【０００６】
しかし、浴室の状態等によっては、予め設定されたファン回転数及びヒータ出力で運転が行われると、必要以上の風量及び発熱量で運転が行われ、消費電力が過大となる場合がある。
【０００７】
本発明は、このような課題を解決するためになされたもので、エネルギー消費量の低減が可能な送風装置を提供することを目的とする。
【課題を解決するための手段】
【０００８】
上述した課題を解決するため、本発明は、空気を吸い込んで吹き出す送風手段と、送風手段で吹き出される空気を加熱する加熱手段と、取得した状態情報に基づき、エネルギー消費量が抑制されるように、加熱手段と送風手段の一方あるいは両方を制御する制御手段とを備えた送風装置である。
【０００９】
本発明では、設置場所の状態を判断する基準となる状態情報に基づき、風量及び発熱量の過不足が発生しないようにして、エネルギー消費量が抑制されるように、加熱手段と送風手段の一方あるいは両方が制御される。
【発明の効果】
【００１０】
本発明では、状態情報に基づき、エネルギー消費量が抑制された運転が可能となる。
【図面の簡単な説明】
【００１１】
【図１】第１の実施の形態の浴室換気乾燥暖房機の一例を示す構成図である。
【図２】第１の実施の形態の浴室換気乾燥暖房機の一例を示す構成図である。
【図３】第１の実施の形態の浴室換気乾燥暖房機の設置例を示す構成図である。
【図４】第１の実施の形態の浴室換気乾燥暖房機の制御機能の一例を示すブロック図である。
【図５】基準運転情報の一例を示す説明図である。
【図６】第２の実施の形態の浴室換気乾燥暖房機の一例を示す構成図である。
【図７】第２の実施の形態の浴室換気乾燥暖房機の一例を示す構成図である。
【図８】第２の実施の形態の浴室換気乾燥暖房機の一例を示す構成図である。
【図９】第２の実施の形態の浴室換気乾燥暖房機の制御機能の一例を示すブロック図である。
【図１０】基準運転情報の他の例を示す説明図である。
【図１１】第２の実施の形態の浴室換気乾燥暖房機における浴室内の空気の流れを示す動作説明図である。
【図１２】第３の実施の形態の浴室換気乾燥暖房機の制御機能の一例を示すブロック図である。
【図１３】第３の実施の形態の浴室換気乾燥暖房機を構成する操作部の一例を示す説明図である。
【図１４】基準運転情報の他の例を示す説明図である。
【図１５】第３の実施の形態の浴室換気乾燥暖房機を構成する操作部の他の例を示す説明図である。
【発明を実施するための形態】
【００１２】
以下、図面を参照して、本発明の送風装置としての浴室換気乾燥暖房機の実施の形態について説明する。
【００１３】
＜第１の実施の形態の浴室換気乾燥暖房機の構成例＞
図１及び図２は、第１の実施の形態の浴室換気乾燥暖房機の一例を示す構成図で、図１は、浴室換気乾燥暖房機の内部構成を示す側面図、図２は、下面側から見た平面図である。また、図３は、第１の実施の形態の浴室換気乾燥暖房機の設置例を示す構成図である。
【００１４】
第１の実施の形態の浴室換気乾燥暖房機１Ａは、循環換気ファン２Ａを有した本体部３Ａが、フロントパネル４Ａを露出させた形態で、浴室１００の天井に取り付けられる。
【００１５】
浴室換気乾燥暖房機１Ａは、空気を吸い込んで吹き出す循環換気ファン２Ａで、浴室１００内の空気が吸い込まれる循環換気吸込口２０Ａと、ヒータ５を有して温風が吹き出される吹出口２１Ａを備える。
【００１６】
また、浴室換気乾燥暖房機１Ａは、循環換気ファン２Ａで循環換気吸込口２０Ａから吸い込んだ空気を室外に排気する換気吹出口２３Ａを備える。更に、浴室換気乾燥暖房機１Ａは、吹出口２１Ａと換気吹出口２３Ａとの間で風路を切り替える風路切替ダンパ６Ａを備える。
【００１７】
循環換気ファン２Ａは、多翼の羽根車２５Ａと、羽根車２５Ａを駆動する循環換気ファンモータ２６Ａと、風路を形成する循環換気ファンケース２７Ａを備える。羽根車２５Ａは、循環換気ファンモータ２６Ａに駆動されて回転することで、内側から外周側へと遠心方向に吹き出される空気の流れを発生させる。
【００１８】
循環換気ファンケース２７Ａは、羽根車２５Ａの外周に沿った円形の部位と、羽根車２５Ａの接線方向に沿った部位を組み合わせた形状で、羽根車２５Ａの遠心方向に吹き出される空気を整流して、羽根車２５Ａの接線方向に沿って吹き出される空気の流れを発生させる。
【００１９】
循環換気ファン２Ａは、浴室換気乾燥暖房機１Ａが所定の設置場所である浴室の天井に設置された状態で、羽根車２５Ａの回転軸の向きが上下方向に沿った配置で構成される。
【００２０】
これにより、循環換気ファン２Ａは、羽根車２５Ａの回転軸に沿った下方から吸い込んだ空気を、羽根車２５Ａの接線方向に吹き出す吹出風路２８Ａが、循環換気ファンケース２７Ａにより形成される。
【００２１】
循環換気ファン２Ａは、循環換気ファンケース２７Ａの下面に、空気が吸い込まれる循環換気吸込口２０Ａを備える。また、循環換気ファン２Ａは、循環換気ファンケース２７Ａの下面に、ヒータ５を駆動することで加熱された空気、あるいは、ヒータ５を非駆動とすることで浴室１００内の温度に応じた空気が吹き出される吹出口２１Ａを備える。
【００２２】
更に、循環換気ファン２Ａは、循環換気ファンケース２７Ａの側面に、室外へ空気が吹き出される換気吹出口２３Ａを備える。
【００２３】
循環換気吸込口２０Ａは、羽根車２５Ａの回転軸に沿った下方に、ベルマウスと称される円形の開口を設けて構成される。吹出口２１Ａは、循環換気ファンケース２７Ａによる空気の吹出方向に沿った辺を短辺とした長方形の開口を、吹出風路２８Ａの下面に設けて構成される。
【００２４】
循環換気ファンケース２７Ａで構成される吹出風路２８Ａは、吹出口２１Ａが設けられる部位で広げられ、換気吹出口２３Ａが設けられる部位で狭められる。吹出口２１Ａは、循環換気ファンケース２７Ａによる空気の吹出方向に沿った辺に対して交差する長辺が、本体部３Ａの幅方向の長さに合わせられる。
【００２５】
風路切替ダンパ６Ａは風路開閉手段の一例で、循環換気ファンケース２７Ａの下面に設けられる吹出口２１Ａと、循環換気ファンケース２７Ａの側面に設けられる換気吹出口２３Ａとの間に、回転による開閉動作の軸６０Ａが設けられる。
【００２６】
風路切替ダンパ６Ａは、図示しないダンパモータの駆動力が伝達され、軸６０Ａを支点に回転して吹出口２１Ａと、換気吹出口２３Ａとの開閉動作を行う。
【００２７】
浴室換気乾燥暖房機１Ａでは、風路切替ダンパ６Ａの位置を、図１に実線で示すように換気吹出口２３Ａを閉じる循環位置とすると、吹出口２１Ａが開いて、循環換気吸込口２０Ａから吹出口２１Ａへ連通した循環風路が形成される。
【００２８】
また、浴室換気乾燥暖房機１Ａでは、風路切替ダンパ６Ａの位置を、図１に一点鎖線で示すように吹出口２１Ａを閉じる換気位置とすると、換気吹出口２３Ａが開いて、循環換気吸込口２０Ａから換気吹出口２３Ａへ連通した換気風路が形成される。
【００２９】
更に、浴室換気乾燥暖房機１Ａでは、風路切替ダンパ６Ａの位置を、図１に破線で示す循環位置と換気位置の間の循環換気位置とすると、吹出口２１Ａと換気吹出口２３Ａの双方が開いて、循環風路と換気風路の双方が形成される。
【００３０】
これにより、浴室換気乾燥暖房機１Ａでは、１つの循環換気ファン２Ａで、浴室１００内の空気を吸い込み、吸い込んだ空気を浴室１００内に吹き出す動作、吸い込んだ空気を室外に排気する動作、吸い込んだ空気の一部を浴室１００内に吹き出し、残部を室外に排気する動作が行われる。
【００３１】
ヒータ５は加熱手段の一例で、本例ではＰＴＣヒータが吹出口２１Ａに取り付けられ、吹出口２１Ａで加熱空気吹出風路が形成される。
【００３２】
ヒータ５が駆動されて通電されると、ヒータ５が加熱されることで吹出口２１Ａを通る空気が加熱され、吹出口２１Ａから温風が吹き出される。ここで、ヒータ５は、棒状のヒータ部材に長手方向に沿って多数のフィンが取り付けられた構成で、フィンが並ぶ方向を、吹出口２１Ａの長手方向に沿った向きとして吹出口２１Ａに取り付けられる。
【００３３】
また、吹出口２１Ａの短手方向の幅は、２本のヒータ５が並べて取り付けられる長さを有し、本例では、２本のヒータ５が吹出口２１Ａの短手方向に並べて取り付けられる。なお、ヒータ５の本数は例えば電源電圧等に応じて設定され、１本のヒータ５が取り付けられる構成でも良い。また、本例では、加熱手段として電気により駆動されるヒータ５を例に説明したが、温水による熱交換器等のヒータでも良い。
【００３４】
本体部３Ａは、循環換気ファンケース２７Ａを構成する本体シャーシ３０Ａと、本体シャーシ３０Ａを覆う金属ケース３１Ａを備える。本体シャーシ３０Ａは樹脂材料で構成され、金属ケース３１Ａで覆われる循環換気ファンケース２７Ａと、本体部３Ａの下端の周縁から外側に突出するフランジ部３２Ａが、一体で構成される。
【００３５】
本体シャーシ３０Ａは、金属ケース３１Ａから露出した下面に下カバー３３Ａが取り付けられる。循環換気ファン２Ａは、循環換気吸込口２０Ａと、吹出口２１Ａが下カバー３３Ａに設けられる。
【００３６】
金属ケース３１Ａは、循環換気ファン２Ａの換気吹出口２３Ａに対向して開口が設けられ、換気吹出口２３Ａと連通した排気ダクトジョイント３４Ａが側面に取り付けられる。
【００３７】
浴室換気乾燥暖房機１Ａは、本体部３Ａの下面にフロントパネル４Ａが取り付けられる。フロントパネル４Ａは、循環換気ファン２Ａの循環換気吸込口２０Ａに対向した下面を開口して吸込口グリル４０Ａが形成される。
【００３８】
また、フロントパネル４Ａは、循環換気ファン２Ａの吹出口２１Ａに対向した下面を開口して吹出口グリル４１Ａが形成される。
【００３９】
吹出口グリル４１Ａは、本体部３Ａの一の辺に沿った方向の長さを長くした長方形の開口で構成される。吹出口グリル４１Ａは、長手方向に沿って空気が吹き出されるように、整流板が設けられる。
【００４０】
浴室換気乾燥暖房機１Ａは、循環換気吸込口２０Ａに温度センサ７を備える。温度センサ７は環境把握手段の一例で、循環換気吸込口２０Ａから吸い込まれる空気の温度を検出することで、浴室１００の温度が検出される。
【００４１】
＜第１の実施の形態の浴室換気乾燥暖房機の設置例＞
次に、各図を参照して、第１の実施の形態の浴室換気乾燥暖房機１Ａの設置例について説明する。
【００４２】
浴室換気乾燥暖房機１Ａは、図３に示すように、浴室１００の天井パネル１０１に設置される。浴室１００の天井パネル１０１には、浴室換気乾燥暖房機１Ａの本体部３Ａが取り付けられる開口部が形成され、浴室換気乾燥暖房機１Ａは、例えば、フランジ部３２Ａが図示しないネジで補強部材に固定される形態で、天井パネル１０１に取り付けられる。
【００４３】
そして、浴室換気乾燥暖房機１Ａは、本体部３Ａの下面にフロントパネル４Ａが取り付けられ、フロントパネル４Ａの吸込口グリル４０Ａと吹出口グリル４１Ａが、浴室１００内に面して配置される。
【００４４】
浴室１００の天井パネル１０１に設置された浴室換気乾燥暖房機１Ａは、本体部３Ａの排気ダクトジョイント３４Ａに排気ダクト１０２が取り付けられる。排気ダクト１０２は、浴室１００が設置される図示しない建物の外壁に取り付けられる屋外グリル１０２ａと接続され、浴室換気乾燥暖房機１Ａは、排気ダクト１０２を介して屋外とつながっている。
【００４５】
浴室１００は、浴槽１０３と洗い場１０４を備える。浴槽１０３は一般的に長方形であり、浴槽１０３と洗い場１０４は、浴槽１０３の短手方向に沿って並んでいる。
【００４６】
浴室１００は、浴槽１０３の上部に物干し部材であるランドリパイプ１０５を備える。ランドリパイプ１０５は、浴槽１０３の長手方向に沿って延び、浴室１００の対向する壁面１０６ａ，１０６ｂ間に取り付けられる。
【００４７】
なお、浴室１００に設置されるランドリパイプ１０５の本数は、１本または２本程度であり、本例では、１本のランドリパイプ１０５が配置された例を示す。また、物干し部材は、洗濯物等の被乾燥物が乾燥できるようになっていれば、パイプ状の部材に限らず、紐状であっても良く、他のものであっても良い。
【００４８】
浴室換気乾燥暖房機１Ａは、吹出口グリル４１Ａの長手方向の向きが、ランドリパイプ１０５の長手方向に対して直交する向きで、浴槽１０３の上部に設置される。これにより、浴室換気乾燥暖房機１Ａでは、吹出口グリル４１Ａから吹き出される空気は、主にランドリパイプ１０５と直交する方向に広がる。
【００４９】
＜第１の実施の形態の浴室換気乾燥暖房機の制御機能例＞
図４は、第１の実施の形態の浴室換気乾燥暖房機の制御機能の一例を示すブロック図である。浴室換気乾燥暖房機１Ａは、ＣＰＵやメモリ等で構成される制御部８１Ａに、図１等で説明した循環換気ファンモータ２６Ａと、風路切替ダンパ６Ａを駆動するダンパモータ６１Ａと、ヒータ５と、温度センサ７と、操作部８２等が接続される。操作部８２は操作手段の一例で、例えば浴室換気乾燥暖房機１Ａの本体と独立したリモートコントロール装置で、浴室１００に隣接する洗面脱衣所の壁面等に取り付けられる。
【００５０】
制御部８１Ａは制御手段の一例で、図示しないメモリ等に格納されたプログラムよって例えば暖房運転モード、換気運転モード、涼風運転モード及び乾燥運転モードを実行する。本例の浴室換気乾燥暖房機１Ａでは、暖房運転モードとして、予備暖房モードと入浴中暖房モードを備える。
【００５１】
これら運転モードは、入浴者等の利用者が操作部８２を操作すること等により選択される。制御部８１Ａは、選択された運転モードを実行するプログラムに基づき、循環換気ファンモータ２６Ａを駆動して、循環換気ファン２Ａのファン回転数を制御する。また、ヒータ５を駆動してヒータ５の出力を制御する。更に、ダンパモータ６１Ａを制御して風路切替ダンパ６Ａの開度を制御する。
【００５２】
浴室換気乾燥暖房機１Ａでは、循環換気ファン２Ａのファン回転数を制御することで、吹出口２１Ａから吹き出される空気の風量が制御される。また、ヒータ５の出力を制御することで、吹出口２１Ａから吹き出される空気の温度が制御される。更に、風路切替ダンパ６Ａの開度を制御することで、空気が吹き出される風路、各風路における風量が制御される。
【００５３】
浴室換気乾燥暖房機１Ａでは、浴室換気乾燥暖房機１Ａが設置された浴室１００の状態、浴室１００に隣接した洗面脱衣所等の他室の状態、操作部８２での操作等に基づく状態情報を状態情報取得手段で取得する。浴室換気乾燥暖房機１Ａでは、取得した状態情報に応じて、エネルギー消費、本例では、ヒータ５が電気で駆動されることから、消費電力が抑制されるように、吹出口２１Ａから吹き出される空気の風量、吹出口２１Ａから吹き出される空気の温度等、浴室換気乾燥暖房機１Ａの出力が制御される。
【００５４】
浴室換気乾燥暖房機１Ａでは、状態情報として、浴室１００の状態を判断する基準となる環境把握情報を取得する。浴室換気乾燥暖房機１Ａでは、環境把握情報として、浴室１００の温度を取得するため、状態情報取得手段として、浴室１００の温度を検出する温度センサ７等で構成される温度検出手段を備える。
【００５５】
浴室換気乾燥暖房機では、通常、ファン回転数及びヒータ出力が運転モードに合わせて予め設定され、暖房運転モードでは、予め設定されたファン回転数及びヒータ出力で運転が実行され、温度センサで検出した浴室の温度が所定の閾値を超えると、ヒータの運転を停止する、ファン回転数を下げる等の制御が行われる。
【００５６】
但し、浴室１００の温度の状態によっては、予め設定されたファン回転数及びヒータ出力で運転が行われると、運転開始時の暖房性能が過剰となり、消費電力が過大となる場合がある。そこで、浴室換気乾燥暖房機１Ａでは、暖房運転モードであれば、暖房運転の開始前あるいは開始後の所定時間内の運転開始の状態で、浴室１００の温度等の状態に基づき浴室換気乾燥暖房機１Ａの出力が制御される。
【００５７】
浴室換気乾燥暖房機１Ａでは、所望の運転モードが開始される運転開始状態での浴室換気乾燥暖房機１Ａの出力を制御する基準運転情報として、温度センサ７で検出された浴室１００の温度情報に応じて、循環換気ファン２Ａのファン回転数とヒータ５の出力等が予め設定される。
【００５８】
また、浴室換気乾燥暖房機１Ａでは、所望の運転モードが開始され、基準運転情報に基づき循環換気ファン２Ａのファン回転数とヒータ５の出力等が制御された運転状態での出力制御情報として、温度センサ７で検出された温度情報に応じて、循環換気ファン２Ａのファン回転数とヒータ５の出力等が予め設定される。
【００５９】
浴室換気乾燥暖房機１Ａでは、暖房運転モードが選択されると、暖房運転モードの運転開始時に、温度センサ７で検出された温度情報に基づき、基準運転情報で循環換気ファン２Ａのファン回転数とヒータ５の出力が設定される。
【００６０】
また、浴室換気乾燥暖房機１Ａでは、基準運転情報で設定された循環換気ファン２Ａのファン回転数とヒータ５の出力に応じた暖房運転モードの実行中に、温度センサ７で検出された温度情報に基づき、出力制御情報で循環換気ファン２Ａのファン回転数とヒータ５の出力が設定される。
【００６１】
図５は、基準運転情報の一例を示す説明図である。基準運転情報２００Ａでは、温度センサ７で検出された温度情報２００Ｔに応じて、季節を判断する季節判断情報２０１Ａが設定され、季節判断情報２０１Ａに応じて、循環換気ファン２Ａのファン回転数情報２０２Ａと、ヒータ５の出力情報２０３Ａが設定される。
【００６２】
通常、外気の温度が低い冬季であれば、入浴前の浴室１００の温度は低いと考えられる。そこで、温度センサ７で検出された浴室１００の温度Ｔ（℃）が、予め設定された所定温度ｔ１（℃）であると、季節が冬季であると判断する。
【００６３】
暖房運転モードの予備暖房モードでは、浴室１００内の温度を予め設定された所定の時間で、入浴に適した温度の近傍まで上げるような制御が行われる。所定時間で浴室１００の温度を上げるためには、季節が冬季等で浴室１００の温度が低い場合、浴室１００の温度が高い場合と比較して、循環換気ファン２Ａのファン回転数とヒータ５の出力を上げる必要がある。
【００６４】
このため、基準運転情報２００Ａでは、温度センサ７で検出された温度情報２００Ｔで浴室１００の温度がｔ１（℃）であると、季節判断情報２０１Ａで季節が冬季であると判断される。また、浴室１００の温度がｔ１（℃）である場合に、所定時間で浴室１００の温度を上げられるような設定として、循環換気ファン２Ａのファン回転数が、ファン回転数情報２０２Ａで「大」に設定され、ヒータ５の出力が、出力情報２０３Ａで「大」に設定される。
【００６５】
一方、冬季と比較して温度が高い春季あるいは秋季であれば、入浴前の浴室１００の温度も冬季と比較して高いと考えられる。そこで、温度センサ７で検出された浴室１００の温度Ｔ（℃）が、予め設定された所定温度ｔ２（ｔ２＞ｔ１）（℃）であると、季節が春季／秋季であると判断する。
【００６６】
季節が春季あるいは秋季で浴室１００の温度が冬季より高い場合、浴室１００内の温度を所定時間で上げるためには、循環換気ファン２Ａのファン回転数とヒータ５の出力を冬季と同等に上げる必要はない。
【００６７】
このため、基準運転情報２００Ａでは、温度センサ７で検出された温度情報２００Ｔで浴室１００の温度がｔ２（℃）であると、季節判断情報２０１Ａで季節が春季／秋季であると判断される。また、浴室１００の温度がｔ２（℃）である場合に、所定時間で浴室１００の温度を上げられるような設定として、循環換気ファン２Ａのファン回転数が、ファン回転数情報２０２Ａで「小」に設定され、ヒータ５の出力が、出力情報２０３Ａで「小」に設定される。
【００６８】
なお、図５に示す基準運転情報２００Ａでは、循環換気ファン２Ａのファン回転数とヒータ５の出力を切り替える浴室１００の温度を２段階に設定したが、２段階以上に設定されてもよい。また、閾値となる温度を設定し、閾値に対する温度の大小で循環換気ファン２Ａのファン回転数とヒータ５の出力を切り替えることとしてもよい。
【００６９】
＜第１の実施の形態の浴室換気乾燥暖房機の動作例＞
次に、各図を参照して、第１の実施の形態の浴室換気乾燥暖房機１Ａの動作例について説明する。
【００７０】
浴室換気乾燥暖房機１Ａは、暖房運転モードが選択されると、暖房運転モードの運転開始時に、循環換気ファンモータ２６Ａの駆動前あるいは駆動後の運転開始状態での所定のタイミングで、温度センサ７で浴室１００の温度を検出する。暖房運転モードの運転開始状態で浴室１００の温度を検出する動作では、フロントパネル４Ａ内で空気が滞留している場合もあるので、循環換気ファンモータ２６Ａを駆動することで浴室１００から吸い込まれる空気の温度を検出する方が、より正確に浴室１００の温度を検出可能である。
【００７１】
暖房運転モードでは、温度センサ７で検出された温度情報に基づき、図５で説明した基準運転情報２００Ａで循環換気ファン２Ａのファン回転数とヒータ５の出力が設定され、予備暖房モードが開始される。
【００７２】
予備暖房モードでは、風路切替ダンパ６Ａを図１に実線で示す循環位置にして、基準運転情報２００Ａに基づき設定されたファン回転数となるように循環換気ファンモータ２６Ａを駆動して羽根車２５Ａを回転させると共に、基準運転情報２００Ａに基づき設定された出力となるようにヒータ５に通電する。
【００７３】
浴室換気乾燥暖房機１Ａでは、羽根車２５Ａが回転することで、フロントパネル４Ａの吸込口グリル４０Ａから、浴室１００内の空気が循環換気吸込口２０Ａに吸い込まれる。
【００７４】
暖房運転モードでは、風路切替ダンパ６Ａが循環位置にあるので、循環換気吸込口２０Ａから吸い込まれた浴室１００の空気の略全量が、吹出口２１Ａへと流れる。暖房運転モードでは、吹出口２１Ａに流れる空気は、ヒータ５によって加熱されることで、フロントパネル４Ａの吹出口グリル４１Ａから温風が吹き出される。
【００７５】
暖房運転モードでは、運転開始時に温度センサ７で検出された温度情報である浴室１００の温度に基づき、外気の温度が低い冬季であれば、基準運転情報２００Ａのファン回転数情報２０２Ａで循環換気ファン２Ａのファン回転数が「大」に設定され、出力情報２０３Ａでヒータ５の出力が「大」に設定される。
【００７６】
これにより、冬季等で暖房運転前の浴室１００の温度が低い状態では、暖房能力が不足することなく、予備暖房モードで予め設定された所定の時間内に、浴室１００内の温度を入浴に適した温度に上昇させることができる。
【００７７】
一方、春季や秋季等、暖房運転前の浴室１００の温度が冬季に比較して高い状態では、運転開始時からファン回転数及びヒータ出力を冬季の場合と同等とすると、暖房能力が過剰となる。そこで、暖房運転モードでは、運転開始時に温度センサ７で検出された温度情報である浴室１００の温度に基づき、外気の温度が冬季に比較して高い春季あるいは秋季であれば、基準運転情報２００Ａのファン回転数情報２０２Ａで循環換気ファン２Ａのファン回転数が「小」に設定され、出力情報２０３Ａでヒータ５の出力が「小」に設定される。
【００７８】
これにより、春季や秋季等、暖房運転前の浴室１００の温度が冬季に比較して高い状態では、ファン回転数及びヒータ出力を冬季の場合と比較して下げることで、暖房能力が過剰となることはなく、消費電力を抑えながら、予備暖房モードで予め設定された所定の時間内に、浴室１００内の温度を入浴に適した温度に上昇させることができる。よって、入浴者が浴室１００に入室したときに、熱さや寒さを感じることが抑制され、消費電力を抑えながら、快適な入浴環境を提供できる。
【００７９】
予備暖房モードでは、基準運転情報で設定された循環換気ファン２Ａのファン回転数とヒータ５の出力が、温度センサ７で検出された温度情報に基づき、出力制御情報で切り替えられる。これにより、浴室１００内の温度が低い場合はヒータ５の出力を上げる、浴室１００内の温度が高い場合はヒータ５の出力を下げる等の制御が可能で、暖房能力の過不足を解消することができる。
【００８０】
暖房運転モードが開始されて所定時間が経過すると、予備暖房モードを入浴中暖房モードに切り替える。入浴中暖房モードでは、基準運転情報で設定された循環換気ファン２Ａのファン回転数とヒータ５の出力が、温度センサ７で検出された温度情報に基づき、出力制御情報で切り替えられる。これにより、浴室１００内の温度が低い場合はヒータ５の出力を上げる、浴室１００内の温度が高い場合はヒータ５の出力を下げる等の制御が可能で、暖房能力の過不足を解消することができる。また、暖房運転モードでは、予備暖房モードの実行中に、温度センサ７で検出された浴室１００の温度が所定のモード切替温度より高くなると、時間の経過によらず、予備暖房モードを入浴中暖房モードに切り替えることとしてもよい。これにより、浴室１００内の温度が高い場合はヒータ５の出力を下げる等の制御が可能で、消費電力を削減することができる。
【００８１】
浴室換気乾燥暖房機１Ａで実行される他の運転モードとしては、乾燥運転モードでは、風路切替ダンパ６Ａを図１に破線で示す循環換気位置にし、循環換気ファンモータ２６Ａを駆動して羽根車２５Ａを回転させると共に、ヒータ５に通電する。
【００８２】
浴室換気乾燥暖房機１Ａでは、羽根車２５Ａが回転すると、フロントパネル４Ａの吸込口グリル４０Ａから、浴室１００内の空気が循環換気吸込口２０Ａに吸い込まれる。
【００８３】
乾燥運転モードでは、風路切替ダンパ６Ａが循環換気位置にあるので、吹出風路２８Ａでは、循環換気吸込口２０Ａから吹出口２１Ａへ連通した循環風路と、循環換気吸込口２０Ａから換気吹出口２３Ａへ連通した換気風路の双方が形成されている。
【００８４】
これにより、羽根車２５Ａが回転することで循環換気吸込口２０Ａから吸い込まれた浴室１００の空気ＲＡの一部は、吹出口２１Ａへと流れる。また、循環換気吸込口２０Ａから吸い込まれた浴室１００の空気の残部は、換気吹出口２３Ａへと流れ、排気ダクト１０２を通り屋外グリル１０２ａから排気ＥＡとして屋外へ排気される。
【００８５】
乾燥運転モードでは、吹出口２１Ａに流れる空気は、ヒータ５によって加熱されることで、フロントパネル４Ａの吹出口グリル４１Ａから温風ＨＡが吹き出される。
【００８６】
これにより、乾燥運転モードでは、ランドリパイプ１０５に掛けられた衣類等の被乾燥物に対して温風を当てて乾燥させることができると共に、浴室１００内の湿気を含む空気を屋外へ排気し、洗面脱衣所等の空気取り込む換気を行って、乾燥を促進することができる。なお、乾燥運転モードでも、温度センサ７で検出された温度情報に基づき、運転開始時に基準運転情報で循環換気ファン２Ａのファン回転数とヒータ５の出力を制御することとしてもよい。
【００８７】
また、浴室１００の湿度情報に基づく制御を行っても良い。すなわち、浴室１００の状態を判断する基準となる環境把握情報として、浴室１００の湿度を取得するため、状態情報取得手段として、浴室１００の湿度を検出する湿度センサ等で構成される湿度検出手段を備える。乾燥モードでは、湿度センサで検出された湿度情報に基づき、運転途中において、風路切替ダンパ６Ａの開度を変更し、循環換気吸込口２０Ａから吸い込まれた浴室１００の空気ＲＡが吹出口２１Ａへ流れる空気量と、換気吹出口２３Ａへ流れる空気量とを調整しても良い。
【００８８】
具体的には、浴室１００の湿度が閾値となる所定の湿度ｈ未満であれば、吹出口２１Ａへ流れる空気量を多くして、衣類等の被乾燥物に対して温風が多く当たるようにし、所定の湿度ｈ以上であれば、換気吹出口２３Ａへ流れる空気量を多くして、浴室１００内の湿度を下げる運転を行う。これにより、積極的に浴室１００内の湿度を下げると共に衣類等の被乾燥物に対して温風を当てて乾燥させることができ、乾燥を促進させることができる。
【００８９】
浴室換気乾燥暖房機１Ａは、循環換気運転モードでは、風路切替ダンパ６Ａを図１に破線で示す循環換気位置にし、ヒータ５を非駆動として、循環換気ファンモータ２６Ａを駆動して羽根車２５Ａを回転させる。ここで、上述した乾燥運転モードと循環換気運転モードでは、循環換気運転モードの方が、屋外へ排気される風量である換気風量が多くなるように、風路切替ダンパ６Ａの開度を変更しても良い。
【００９０】
浴室換気乾燥暖房機１Ａでは、羽根車２５Ａが回転することで、フロントパネル４Ａの吸込口グリル４０Ａから、浴室１００内の空気が循環換気吸込口２０Ａに吸い込まれる。
【００９１】
循環換気運転モードでは、風路切替ダンパ６Ａが循環換気位置にあるので、循環換気吸込口２０Ａから吸い込まれた浴室１００の空気の一部は、吹出口２１Ａへと流れる。また、循環換気吸込口２０Ａから吸い込まれた浴室１００の空気の残部は、換気吹出口２３Ａへと流れ、屋外へ排気される。
【００９２】
循環換気運転モードでは、吹出口２１Ａに流れる空気は、ヒータ５が非駆動であるので、フロントパネル４Ａの吹出口グリル４１Ａから、室温に応じた空気が吹き出される。
【００９３】
これにより、循環換気運転モードでは、浴室１００内で空気を循環させると共に、浴室１００内の空気の一部が屋外に排気されて換気が行われるので、湿気等を排出して、浴室１００の各壁面、床面等の乾燥を促進することができる。
【００９４】
換気運転モードでは、風路切替ダンパ６Ａを図１に一点鎖線で示す換気位置にし、ヒータ５非駆動として、循環換気ファンモータ２６Ａを駆動して羽根車２５Ａを回転させる。
【００９５】
浴室換気乾燥暖房機１Ａでは、羽根車２５Ａが回転することで、フロントパネル４Ａの吸込口グリル４０Ａから、浴室１００内の空気が循環換気吸込口２０Ａに吸い込まれる。
【００９６】
換気運転モードでは、風路切替ダンパ６Ａが換気位置にあるので、循環換気吸込口２０Ａから吸い込まれた浴室１００の空気の略全量が換気吹出口２３Ａへと流れ、屋外へ排気される。従って、換気運転モードでは、浴室１００内の湯気や湿気を排出して結露等を抑制し、カビの発生を抑えることができる。
【００９７】
浴室換気乾燥暖房機１Ａでは、２４時間換気運転モードを備える。２４時間換気運転モードは、浴室換気乾燥暖房機１Ａが設置された建物内の空気を、所定時間で換気できる風量で上述した換気モードが常時実行される。従って、２４時間換気運転モードでは、室内の空気を新鮮な空気に入れ替えることができる。
【００９８】
＜第２の実施の形態の浴室換気乾燥暖房機の構成例＞
図６〜図８は、第２の実施の形態の浴室換気乾燥暖房機の一例を示す構成図で、図６は、浴室換気乾燥暖房機の内部構成を示す側面図、図７は、下面側から見た平面図である。また、図８はフロントパネルを取り付けた状態の平面図である。
【００９９】
第２の実施の形態の浴室換気乾燥暖房機１Ｂは、循環換気ファン２Ｂを有した本体部３Ｂが、図３に示す設置形態と同様に、フロントパネル４Ｂを露出させた形態で、浴室１００の天井に取り付けられる。
【０１００】
浴室換気乾燥暖房機１Ｂは、空気を吸い込んで吹き出す循環換気ファン２Ｂで、浴室１００内の空気が吸い込まれる循環換気吸込口２０Ｂと、ヒータ５を有して温風が吹き出される第１の吹出口２１Ｂと、浴室１００内の空気を攪拌する風を発生させる第２の吹出口２２Ｂを備える。
【０１０１】
また、浴室換気乾燥暖房機１Ｂは、循環換気ファン２Ｂで循環換気吸込口２０Ｂから吸い込んだ空気を室外に排気する換気吹出口２３Ｂを備える。更に、浴室換気乾燥暖房機１Ｂは、第１の吹出口２１Ｂ及び第２の吹出口２２Ｂと、換気吹出口２３Ｂとの間で風路を切り替える風路切替ダンパ６Ｂを備える。また、浴室換気乾燥暖房機１Ｂは、第２の吹出口２２Ｂを開閉する攪拌風路開閉ダンパ９Ｂを備える。
【０１０２】
循環換気ファン２Ｂは、多翼の羽根車２５Ｂと、羽根車２５Ｂを駆動する循環換気ファンモータ２６Ｂと、風路を形成する循環換気ファンケース２７Ｂを備える。循環換気ファン２Ｂは、羽根車２５Ｂが循環換気ファンモータ２６Ｂに駆動されて回転することで遠心方向に吹き出される空気を、循環換気ファンケース２７Ｂで整流して、羽根車２５Ｂの接線方向に沿って吹き出される空気の流れを発生させる。
【０１０３】
循環換気吸込口２０Ｂは、羽根車２５Ｂの回転軸に沿った下方に、ベルマウスと称される円形の開口を設けて構成される。第１の吹出口２１Ｂは、図２に示す吹出口２１Ａと同様に、循環換気ファンケース２７Ｂによる空気の吹出方向に沿った辺を短辺とした長方形の開口を、吹出風路２８Ｂの下面に設けて構成される。
【０１０４】
第２の吹出口２２Ｂは、循環換気ファンケース２７Ｂによる空気の吹出方向に沿った辺を短辺とした長方形の開口を、吹出風路２８Ｂの下面において、第１の吹出口２１Ｂに対して循環換気吸込口２０Ｂの反対側に設けて構成される。
【０１０５】
循環換気ファンケース２７Ｂで構成される吹出風路２８Ｂは、第１の吹出口２１Ｂ及び第２の吹出口２２Ｂが設けられる部位で広げられ、換気吹出口２３Ｂが設けられる部位で狭められる。
【０１０６】
第１の吹出口２１Ｂと第２の吹出口２２Ｂは、循環換気ファンケース２７Ｂの下面に設けられた風路形成枠体５０Ｂで構成される。第１の吹出口２１Ｂと第２の吹出口２２Ｂは、風路形成枠体５０Ｂの内側に設けられる仕切り部材５１Ｂにより仕切られ、第１の吹出口２１Ｂから吹き出される空気が通る加熱空気吹出風路と、第２の吹出口２２Ｂから吹き出される空気が通る攪拌空気吹出風路が形成される。
【０１０７】
第１の吹出口２１Ｂと第２の吹出口２２Ｂは、第１の吹出口２１Ｂから吹き出される空気の風量が多く、第２の吹出口２２Ｂから吹き出される空気の風速が速くなるように、第１の吹出口２１Ｂに対して第２の吹出口２２Ｂの開口が小さく構成される。
【０１０８】
本例では、第１の吹出口２１Ｂと第２の吹出口２２Ｂは、循環換気ファンケース２７Ｂによる空気の吹出方向に沿った短辺が、第１の吹出口２１Ｂに対して第２の吹出口２２Ｂが短く構成される。また、第１の吹出口２１Ｂの長辺に対して第２の吹出口２２Ｂの長辺が短く構成される。ここで、第１の吹出口２１Ｂと第２の吹出口２２Ｂの長辺は同じ長さであっても良い。
【０１０９】
風路切替ダンパ６Ｂは風路開閉手段の一例で、循環換気ファンケース２７Ｂの下面に設けられる第１の吹出口２１Ｂ及び第２の吹出口２２Ｂと、循環換気ファンケース２７Ｂの側面に設けられる換気吹出口２３Ｂとの間に、回転による開閉動作の軸６０Ｂが設けられる。
【０１１０】
風路切替ダンパ６Ｂは、図示しないダンパモータの駆動力が伝達され、軸６０Ｂを支点に回転して、第１の吹出口２１Ｂ及び第２の吹出口２２Ｂと、換気吹出口２３Ａとの開閉動作を行う。
【０１１１】
攪拌風路開閉ダンパ９Ｂは開閉手段の一例で、回転動作で第２の吹出口２２Ｂを開閉する。本例では、攪拌風路開閉ダンパ９Ｂの回転動作の軸が、風路切替ダンパ６Ｂの軸６０Ｂと同軸上に配置される。攪拌風路開閉ダンパ９Ｂは、図示しないダンパモータの駆動力が伝達され、軸６０Ｂを支点に回転して、第２の吹出口２２Ｂの開閉動作を行う。
【０１１２】
浴室換気乾燥暖房機１Ｂでは、風路切替ダンパ６Ｂの位置を、図６に実線で示すように換気吹出口２３Ｂを閉じる循環位置とすると、第１の吹出口２１Ｂ及び第２の吹出口２２Ｂが開いて、循環換気吸込口２０Ｂから第１の吹出口２１Ｂ及び第２の吹出口２２Ｂへ連通した循環風路が形成される。
【０１１３】
また、浴室換気乾燥暖房機１Ｂでは、風路切替ダンパ６Ｂの位置を、図６に一点鎖線で示すように第１の吹出口２１Ｂ及び第２の吹出口２２Ｂを閉じる換気位置とすると、換気吹出口２３Ｂが開いて、循環換気吸込口２０Ｂから換気吹出口２３Ｂへ連通した換気風路が形成される。
【０１１４】
更に、浴室換気乾燥暖房機１Ｂでは、風路切替ダンパ６Ｂの位置を、図６に破線で示す循環位置と換気位置の間の循環換気位置とすると、第１の吹出口２１Ｂ及び第２の吹出口２２Ｂと、換気吹出口２３Ｂの双方が開いて、循環風路と換気風路の双方が形成される。循環換気位置にある風路切替ダンパ６Ｂの開度が切り替えられ、換気吹出口２３Ｂから吹き出される風量が変更可能に構成される。
【０１１５】
風路切替ダンパ６Ｂを循環位置あるいは循環換気位置として、攪拌風路開閉ダンパ９Ｂで第２の吹出口２２Ｂを開くと、第１の吹出口２１Ｂと第２の吹出口２２Ｂから空気が吹き出される。また、風路切替ダンパ６Ｂを循環位置あるいは循環換気位置として、攪拌風路開閉ダンパ９Ｂで第２の吹出口２２Ｂを閉じると、第１の吹出口２１Ｂから空気が吹き出される。更に、攪拌風路開閉ダンパ９Ｂの開度によって、第２の吹出口２２Ｂから吹き出される空気の風量が制御される。
【０１１６】
これにより、浴室換気乾燥暖房機１Ｂでは、１つの循環換気ファン２Ｂで、浴室１００内の空気を吸い込み、吸い込んだ空気を浴室１００内に吹き出す動作、吸い込んだ空気を室外に排気する動作、吸い込んだ空気の一部を浴室１００内に吹き出し、残部を室外に排気する動作が行われる。また、浴室換気乾燥暖房機１Ｂでは、１つのダンパモータあるいは独立したダンパモータで、風路切替ダンパ６Ｂと攪拌風路開閉ダンパ９Ｂの開閉が連動及び独立して行われる。浴室換気乾燥暖房機１Ｂでは、第２の吹出口２２Ｂから吹き出す空気で、設置場所である浴室１００内の温度分布の層化を抑制する送風が行われ、送風補助手段を構成する。
【０１１７】
浴室換気乾燥暖房機１Ｂでは、第１の吹出口２１Ｂから吹き出される空気の風量が多く、第２の吹出口２２Ｂから吹き出される空気の風速が速くなるように構成される。
【０１１８】
第１の吹出口２１Ｂと連通しヒータ５が設けられる加熱空気吹出風路は、第２の吹出口２２Ｂと連通した攪拌空気吹出風路と、仕切り部材５１Ｂにより仕切られている。
【０１１９】
ヒータ５が駆動されて通電されると、ヒータ５が加熱されることで第１の吹出口２１Ｂを通る空気が加熱され、第１の吹出口２１Ｂから温風が吹き出される。これに対して、第２の吹出口２２Ｂから吹き出された空気は、ヒータ５を通過せず、加熱が行われない。
【０１２０】
本体部３Ｂは、循環換気ファンケース２７Ｂを構成する本体シャーシ３０Ｂが金属ケース３１Ｂで覆われる。本体部３Ｂは、樹脂材料で構成される本体シャーシ３０Ｂで循環換気ファン２Ｂと一体に構成されたフランジ部３２Ｂが、下端の周縁から外側に突出する。
【０１２１】
本体シャーシ３０Ｂは、金属ケース３１Ｂから露出した下面に下カバー３３Ｂが取り付けられる。循環換気ファン２Ｂは、循環換気吸込口２０Ｂと、第１の吹出口２１Ｂ及び第２の吹出口２２Ｂが下カバー３３Ｂに設けられ、下カバー３３Ｂに風路形成枠体５０Ｂが取り付けられる。
【０１２２】
金属ケース３１Ｂは、循環換気ファン２Ｂの換気吹出口２３Ｂに対向して開口が設けられ、換気吹出口２３Ｂと連通した排気ダクトジョイント３４Ｂが側面に取り付けられる。
【０１２３】
浴室換気乾燥暖房機１Ｂは、循環換気吸込口２０Ｂに温度センサ７を備え、循環換気吸込口２０Ｂから吸い込まれる空気の温度を検出することで、浴室１００の温度が検出される。
【０１２４】
浴室換気乾燥暖房機１Ｂは、本体部３Ｂの下面にフロントパネル４Ｂが取り付けられる。フロントパネル４Ｂは、循環換気ファン２Ｂの循環換気吸込口２０Ｂに対向した下面を開口して吸込口グリル４０Ｂが形成される。
【０１２５】
また、フロントパネル４Ｂは、循環換気ファン２Ｂの第１の吹出口２１Ｂに対向した下面を開口して第１の吹出口グリル４１Ｂが形成されると共に、第２の吹出口２２Ｂに対向した下面を開口して第２の吹出口グリル４２Ｂが形成される。
【０１２６】
第１の吹出口グリル４１Ｂは、本体部３Ｂの一の辺に沿った方向の長さを長くした長方形の開口で構成される。また、第２の吹出口グリル４２Ｂは、第１の吹出口グリル４１Ｂと同様に、本体部３Ｂの一の辺に沿った方向の長さを長くした長方形の開口で構成される。
【０１２７】
第１の吹出口グリル４１Ｂは、長手方向に沿って空気が吹き出されるように、整流板が設けられる。第２の吹出口グリル４２Ｂは、第１の吹出口グリル４１Ｂと並列する短手方向に沿って、第１の吹出口グリル４１Ｂと反対側である本体部３Ｂの外側に向けて空気が吹き出されるように、整流板４３Ｂが設けられる。
【０１２８】
＜第２の実施の形態の浴室換気乾燥暖房機の制御機能例＞
図９は、第２の実施の形態の浴室換気乾燥暖房機の制御機能の一例を示すブロック図である。浴室換気乾燥暖房機１Ａは、ＣＰＵやメモリ等で構成される制御部８１Ｂに、図６等で説明した循環換気ファンモータ２６Ｂと、風路切替ダンパ６Ｂ及び攪拌風路開閉ダンパ９Ｂを駆動するダンパモータ６１Ｂと、ヒータ５と、温度センサ７と、操作部８２等が接続される。
【０１２９】
制御部８１Ｂは制御手段の一例で、図示しないメモリ等に格納されたプログラムよって例えば暖房運転モード、換気運転モード、涼風運転モード及び乾燥運転モードを実行する。本例の浴室換気乾燥暖房機１Ｂでは、暖房運転モードとして、予備暖房モードと入浴中暖房モードを備える。
【０１３０】
これら運転モードは、入浴者等の利用者が操作部８２を操作すること等により選択される。制御部８１Ｂは、選択された運転モードを実行するプログラムに基づき、循環換気ファンモータ２６Ｂを駆動して、循環換気ファン２Ｂのファン回転数を制御する。また、ヒータ５を駆動してヒータ５の出力を制御する。更に、ダンパモータ６１Ｂを制御して風路切替ダンパ６Ｂの開度を制御する。また、ダンパモータ６１Ｂを制御して風路切替ダンパ６Ｂと連動あるいは独立して攪拌風路開閉ダンパ９Ｂの開度を制御する。
【０１３１】
浴室換気乾燥暖房機１Ｂでは、循環換気ファン２Ｂのファン回転数を制御することで、第１の吹出口２１Ｂ及び第２の吹出口２２Ｂから吹き出される空気の風量が制御される。また、ヒータ５の出力を制御することで、第１の吹出口２１Ｂから吹き出される空気の温度が制御される。更に、風路切替ダンパ６Ｂの開度を制御することで、空気が吹き出される風路、各風路における風量が制御される。また、攪拌風路開閉ダンパ９Ｂの開度を制御することで、第２の吹出口２２Ｂから吹き出される空気の有無、第２の吹出口２２Ｂから吹き出される空気の風量が制御される。
【０１３２】
浴室換気乾燥暖房機１Ｂでは、浴室換気乾燥暖房機１Ａが設置された浴室１００の状態、浴室１００に隣接した洗面脱衣所等の他室の状態、操作部８２での操作等に基づく状態情報を状態情報取得手段で取得する。浴室換気乾燥暖房機１Ｂでは、取得した状態情報に応じて消費電力が抑制されるように、第１の吹出口２１Ｂから吹き出される空気の風量、第１の吹出口２１Ｂから吹き出される空気の温度等、浴室換気乾燥暖房機１Ｂの出力が制御される。また、第２の吹出口２２Ｂから吹き出される空気の有無、風量等、補助風の出力が制御される。
【０１３３】
浴室換気乾燥暖房機１Ｂでは、状態情報として、浴室１００の状態を判断する基準となる環境把握情報を取得する。浴室換気乾燥暖房機１Ｂでは、環境把握情報として、浴室１００の温度を取得するため、状態情報取得手段として、浴室１００の温度を検出する温度センサ７等で構成される温度検出手段を備える。
【０１３４】
浴室換気乾燥暖房機では、通常、ファン回転数及びヒータ出力が運転モードに合わせて予め設定され、暖房運転モードでは、予め設定されたファン回転数及びヒータ出力で運転が実行され、温度センサで検出した浴室の温度が所定の閾値を超えると、ヒータの運転を停止する、ファン回転数を下げる等の制御が行われる。
【０１３５】
但し、浴室１００の温度の状態によっては、予め設定されたファン回転数及びヒータ出力で運転が行われると、運転開始時の暖房性能が過剰となり、消費電力が過大となる場合がある。そこで、浴室換気乾燥暖房機１Ｂでは、暖房運転モードであれば、暖房運転の開始前あるいは開始後の所定時間内の運転開始の状態で、浴室１００の温度等の状態に基づき浴室換気乾燥暖房機１Ｂの出力が制御される。
【０１３６】
浴室換気乾燥暖房機１Ｂでは、所望の運転モードが開始される運転開始状態での浴室換気乾燥暖房機１Ｂの出力を制御する基準運転情報として、温度センサ７で検出された浴室１００の温度情報に応じて、循環換気ファン２Ｂのファン回転数とヒータ５の出力と攪拌風路開閉ダンパ９Ｂの開度等が予め設定される。
【０１３７】
また、浴室換気乾燥暖房機１Ｂでは、所望の運転モードが開始され、基準運転情報に基づき循環換気ファン２Ｂのファン回転数とヒータ５の出力と攪拌風路開閉ダンパ９Ｂの開度等が制御された運転状態での出力制御情報として、温度センサ７で検出された温度情報に応じて、循環換気ファン２Ｂのファン回転数とヒータ５の出力と攪拌風路開閉ダンパ９Ｂの開度等が予め設定される。
【０１３８】
浴室換気乾燥暖房機１Ｂでは、暖房運転モードが選択されると、暖房運転モードの運転開始時に、温度センサ７で検出された温度情報に基づき、基準運転情報で循環換気ファン２Ｂのファン回転数とヒータ５の出力と攪拌風路開閉ダンパ９Ｂの開度が設定される。
【０１３９】
また、浴室換気乾燥暖房機１Ｂでは、基準運転情報で設定された循環換気ファン２Ｂのファン回転数とヒータ５の出力と攪拌風路開閉ダンパ９Ｂの開度に応じた暖房運転モードの実行中に、温度センサ７で検出された温度情報に基づき、出力制御情報で循環換気ファン２Ｂのファン回転数とヒータ５の出力と攪拌風路開閉ダンパ９Ｂの開度が設定される。
【０１４０】
図１０は、基準運転情報の他の例を示す説明図である。基準運転情報２００Ｂでは、温度センサ７で検出された温度情報２００Ｔに応じて、循環換気ファン２Ｂのファン回転数情報２０２Ｂと、ヒータ５の出力情報２０３Ｂと、攪拌風路開閉ダンパ９Ｂの開度情報２０４Ｂが設定される。
【０１４１】
基準運転情報２００Ｂでは、上述したように、温度センサ７で検出された浴室１００の温度Ｔ（℃）が、季節が冬季であると判断するｔ１（℃）であると、循環換気ファン２Ｂのファン回転数が、ファン回転数情報２０２Ｂで「大」に設定され、ヒータ５の出力が、出力情報２０３Ｂで「大」に設定される。また、浴室１００内の温度が床面側と天井側で異なる層化が抑制されるように、攪拌風路開閉ダンパ９Ｂの開度情報２０４Ｂで、攪拌風路開閉ダンパ９Ｂを開く温度ｔ３が設定される。
【０１４２】
更に、基準運転情報２００Ｂでは、温度センサ７で検出された浴室１００の温度Ｔ（℃）が、季節が春季あるいは秋季であると判断するｔ２（℃）であると、循環換気ファン２Ｂのファン回転数が、ファン回転数情報２０２Ｂで「小」に設定され、ヒータ５の出力が、出力情報２０３Ｂで「小」に設定される。また、攪拌風路開閉ダンパ９Ｂの開度情報２０４Ｂで、攪拌風路開閉ダンパ９Ｂを開く温度ｔ４（ｔ４＞ｔ３）が設定される。
【０１４３】
＜第２の実施の形態の浴室換気乾燥暖房機の動作例＞
図１１は、第２の実施の形態の浴室換気乾燥暖房機における浴室内の空気の流れを示す動作説明図で、次に、各図を参照して、第２の実施の形態の浴室換気乾燥暖房機１Ｂの動作例について説明する。
【０１４４】
浴室換気乾燥暖房機１Ｂは、暖房運転モードが選択されると、暖房運転モードの運転開始時に、循環換気ファンモータ２６Ｂの駆動前あるいは駆動後の運転開始状態での所定のタイミングで、温度センサ７で浴室１００の温度を検出する。暖房運転モードの運転開始状態で浴室１００の温度を検出する動作では、フロントパネル４Ｂ内で空気が滞留している場合もあるので、循環換気ファンモータ２６Ｂを駆動することで浴室１００から吸い込まれる空気の温度を検出する方が、より正確に浴室１００の温度を検出可能である。
【０１４５】
暖房運転モードでは、温度センサ７で検出された温度情報に基づき、図１０で説明した基準運転情報２００Ｂで循環換気ファン２Ｂのファン回転数とヒータ５の出力が設定され、予備暖房モードが開始される。
【０１４６】
予備暖房モードでは、風路切替ダンパ６Ｂを図６に実線で示す循環位置とし、攪拌風路開閉ダンパ９Ｂを図６に実線で示す閉位置にして、基準運転情報２００Ｂに基づき設定されたファン回転数となるように循環換気ファンモータ２６Ｂを駆動して羽根車２５Ｂを回転させると共に、基準運転情報２００Ｂに基づき設定された出力となるようにヒータ５に通電する。
【０１４７】
浴室換気乾燥暖房機１Ｂでは、羽根車２５Ｂが回転することで、フロントパネル４Ｂの吸込口グリル４０Ｂから、浴室１００内の空気が循環換気吸込口２０Ｂに吸い込まれる。
【０１４８】
暖房運転モードでは、風路切替ダンパ６Ｂが循環位置にあるので、循環換気吸込口２０Ｂから吸い込まれた浴室１００の空気の略全量が、第１の吹出口２１Ｂへと流れる。暖房運転モードでは、第１の吹出口２１Ｂに流れる空気は、ヒータ５によって加熱されることで、フロントパネル４Ｂの第１の吹出口グリル４１Ｂから温風が吹き出される。
【０１４９】
暖房運転モードでは、運転開始時に温度センサ７で検出された温度情報である浴室１００の温度に基づき、外気の温度が低い冬季であれば、基準運転情報２００Ｂのファン回転数情報２０２Ｂで循環換気ファン２Ｂのファン回転数が「大」に設定され、出力情報２０３Ｂでヒータ５の出力が「大」に設定される。
【０１５０】
これにより、冬季等で暖房運転前の浴室１００の温度が低い状態では、暖房能力が不足することなく、予備暖房モードで予め設定された所定の時間内に、浴室１００内の温度を入浴に適した温度に上昇させることができる。
【０１５１】
一方、暖房運転モードでは、運転開始時に温度センサ７で検出された温度情報である浴室１００の温度に基づき、外気の温度が冬季に比較して高い春季あるいは秋季であれば、基準運転情報２００Ｂのファン回転数情報２０２Ｂで循環換気ファン２Ｂのファン回転数が「小」に設定され、出力情報２０３Ｂでヒータ５の出力が「小」に設定される。
【０１５２】
これにより、春季や秋季等、暖房運転前の浴室１００の温度が冬季に比較して高い状態では、ファン回転数及びヒータ出力を冬季の場合と比較して下げることで、暖房能力が過剰となることはなく、消費電力を抑えながら、予備暖房モードで予め設定された所定の時間内に、浴室１００内の温度を入浴に適した温度に上昇させることができる。
【０１５３】
暖房運転モードでは、温かい空気が浴室１００の上方に溜り、浴室１００内の温度が床面側と天井側で異なる層化が発生する場合がある。このような層化の発生を抑制するため、第２の吹出口グリル４２Ｂから吹き出される空気を浴室１００内の空気を攪拌するための補助風として使用する。
【０１５４】
そこで、外気の温度が低い冬季であれば、温度センサ７で検出された浴室１００の温度Ｔが、基準運転情報２００Ｂの開度情報２０４Ｂで設定された温度ｔ３となると、攪拌風路開閉ダンパ９Ｂを図６に破線で示す開位置にする。また、春季あるいは秋季であれば、温度センサ７で検出された浴室１００の温度Ｔが、基準運転情報２００Ｂの開度情報２０４Ｂで設定された温度ｔ４となると、攪拌風路開閉ダンパ９Ｂを開位置にする。
【０１５５】
攪拌風路開閉ダンパ９Ｂを開位置にすると、第１の吹出口２１Ｂに流れる空気は、ヒータ５によって加熱されることで、フロントパネル４Ｂの第１の吹出口グリル４１Ｂから温風ＨＡが吹き出される。第２の吹出口２２Ｂに流れる空気は、ヒータ５を通らないので、フロントパネル４Ｂの第２の吹出口グリル４２Ｂから、室温に応じた空気Ａが吹き出される。
【０１５６】
浴室換気乾燥暖房機１Ｂでは、第２の吹出口グリル４２Ｂから吹き出される空気Ａは、第１の吹出口グリル４１Ｂに対して第２の吹出口グリル４２Ｂが設けられる側の浴室１００の壁面１０６ａに向けられる。
【０１５７】
第２の吹出口グリル４２Ｂから吹き出される空気は、第１の吹出口２１Ｂ及び第２の吹出口２２Ｂの配置及び大きさの関係から、第１の吹出口グリル４１Ｂから吹き出される空気より風速が速い。
【０１５８】
これにより、図１１に示すように、第２の吹出口グリル４２Ｂから吹き出される空気Ａは、浴室１００の一方の壁面１０６ａに当てられ、矢印Ａ１に示すように壁面１０６ａに沿って下方に流れる。壁面１０６ａに沿って下方に流れる空気は、矢印Ａ２に示すように、浴室１００の下層付近を、主に他方の壁面１０６ｂに向かって流れる。
【０１５９】
浴室換気乾燥暖房機１Ｂでは、吸込口グリル４０Ｂから吸い込まれる空気ＲＡによって、浴室１００内で空気を循環させる流れを生じさせているので、浴室１００の下層付近を他方の壁面１０６ｂに向かって流れる空気は、矢印Ａ３に示すように壁面１０６ｂに沿って上方に流れ、吸込口グリル４０Ｂから吸い込まれる。
【０１６０】
このように、浴室換気乾燥暖房機１Ｂでは、第２の吹出口グリル４２Ｂから吹き出される風速の速い空気によって、浴室１００の一方の壁面１０６ａに沿って下方に向かい、浴室１００の下層付近を他方の壁面１０６ｂに向かい、他方の壁面１０６ｂに沿って上方に向かう空気の流れを発生させることができる。
【０１６１】
暖房運転モードで浴室換気乾燥暖房機１Ｂの第１の吹出口グリル４１Ｂから吹き出される空気は、ヒータ５で加熱された温風で、相対湿度が下げられているので、第２の吹出口グリル４２Ｂから吹き出される空気に比べ軽い。
【０１６２】
このため、第１の吹出口グリル４１Ｂから吹き出される空気に比べ重い第２の吹出口グリル４２Ｂから吹き出される空気は、浴室１００の下層まで流れ、浴室１００内の全体に、空気を攪拌する風の流れを生じさせることができる。
【０１６３】
第１の吹出口２１Ｂ及び第２の吹出口２２Ｂの配置及び大きさの関係から、第１の吹出口グリル４１Ｂから吹き出される温風の風量は、第２の吹出口グリル４２Ｂから吹き出される空気より多い。よって、第２の吹出口グリル４２Ｂから吹き出される空気で攪拌される浴室１００内の空気の流れで、第１の吹出口グリル４１Ｂから吹き出される十分な量の温風ＨＡを、浴室１００内で天井側から床面側で循環させることができる。
【０１６４】
これにより、浴室１００の天井付近に溜まった暖かい空気を、床面側へと対流させることができ、浴室１００内の温度が床面側と天井側で異なる層化の発生を抑制することができる。また、ヒータ出力を下げても、浴室１００の床面側に暖かい空気を循環できるので、消費電力を低減させることができる。
【０１６５】
予備暖房モードでは、基準運転情報で設定された循環換気ファン２Ｂのファン回転数とヒータ５の出力が、温度センサ７で検出された温度情報に基づき、出力制御情報で切り替えられる。これにより、浴室１００内の温度が低い場合はヒータ５の出力を上げる、浴室１００内の温度が高い場合はヒータ５の出力を下げる等の制御が可能で、暖房能力の過不足を解消することができる。
【０１６６】
暖房運転モードが開始されて所定時間が経過すると、予備暖房モードを入浴中暖房モードに切り替える。入浴中暖房モードでは、基準運転情報で設定された循環換気ファン２Ｂのファン回転数とヒータ５の出力が、温度センサ７で検出された温度情報に基づき、出力制御情報で切り替えられる。これにより、浴室１００内の温度が低い場合はヒータ５の出力を上げる、浴室１００内の温度が高い場合はヒータ５の出力を下げる等の制御が可能で、暖房能力の過不足を解消することができる。
【０１６７】
浴室換気乾燥暖房機１Ｂで実行される他の運転モードとしては、乾燥運転モードでは、風路切替ダンパ６Ｂを図６に破線で示す循環換気位置にし、攪拌風路開閉ダンパ９Ｂを破線で示す開位置にし、循環換気ファンモータ２６Ｂを駆動して羽根車２５Ｂを回転させると共に、ヒータ５に通電する。
【０１６８】
乾燥運転モードでは、風路切替ダンパ６Ｂが循環換気位置にあるので、羽根車２５Ｂが回転することで循環換気吸込口２０Ｂから吸い込まれた浴室１００の空気の一部は、第１の吹出口２１Ｂ及び第２の吹出口２２Ｂへと流れる。また、循環換気吸込口２０Ｂから吸い込まれた浴室１００の空気の残部は、換気吹出口２３Ｂへと流れて屋外へ排気される。
【０１６９】
乾燥運転モードでは、第１の吹出口２１Ｂに流れる空気は、ヒータ５によって加熱されることで、フロントパネル４Ｂの第１の吹出口グリル４１Ｂから温風ＨＡが吹き出される。
【０１７０】
また、乾燥運転モードでは、攪拌風路開閉ダンパ９Ｂが第２の吹出口２２Ｂを開いているので、第２の吹出口２２Ｂにも空気が流れる。第２の吹出口２２Ｂに流れる空気は、ヒータ５を通らないので、フロントパネル４Ｂの第２の吹出口グリル４２Ｂから、室温に応じた空気Ａが吹き出される。
【０１７１】
浴室換気乾燥暖房機１Ｂでは、乾燥運転モードでも、第２の吹出口グリル４２Ｂから吹き出される風速の速い空気によって、浴室１００の一方の壁面１０６ａに沿って下方に向かい、浴室１００の下層付近を他方の壁面１０６ｂに向かい、他方の壁面１０６ｂに沿って上方に向かう空気の流れを発生させることができる。
【０１７２】
これにより、第１の吹出口グリル４１Ｂから吹き出される温風が、直接は当たりにくい第１の吹出口グリル４１Ｂの直下から離れた位置のランドリパイプ１０５に掛けられた被乾燥物付近にも、空気の流れを生じさせることができる。
【０１７３】
従って、浴室換気乾燥暖房機１Ｂでは、被乾燥物の水分が蒸発しやすくなり、従来とヒータ５の出力を同じとすれば、乾燥時間を短縮することができ、被乾燥物の乾燥に要するエネルギーを低減させることができる。
【０１７４】
また、従来と乾燥時間を同じとすれば、ヒータ５の出力を低下させることができ、やはり被乾燥物の乾燥に要するエネルギーを低減させることができる。また、浴室１００内の空気の一部は屋外に排気されて換気が行われるので、湿気等を排出して、被乾燥物の乾燥を促進することができる。なお、乾燥運転モードでも、温度センサ７で検出された温度情報に基づき、運転開始時に基準運転情報で循環換気ファン２Ｂのファン回転数とヒータ５の出力、及び、攪拌風路開閉ダンパ９Ｂの開閉を制御することとしてもよい。
【０１７５】
具体的には、温度センサ７で検出された浴室１００の温度が閾値となる所定の温度ｔ５未満であれば、攪拌風路開閉ダンパ９Ｂを図６に実線で示す閉位置にし、ヒータ５を駆動させ第１の吹出口２１Ｂから温風を吹き出す。また、温度センサ７で検出された浴室１００の温度が温度ｔ５以上であれば、攪拌風路開閉ダンパ９Ｂを図６に破線で示す開位置にし、第２の吹出口２２Ｂからヒータ５で加熱されない空気を浴室１００内に吹き出す。
【０１７６】
これにより、浴室１００内の温度が高ければ、浴室１００内の空気を攪拌することで、層化の発生を抑制することができ、衣類全体を均一に乾かすことができると共に、乾燥運転時間の短縮を行い、消費電力を削減することができる。
【０１７７】
また、浴室１００の湿度情報に基づく制御を行っても良い。すなわち、浴室１００の状態を判断する基準となる環境把握情報として、浴室１００の湿度を取得するため、状態情報取得手段として、浴室１００の湿度を検出する湿度センサ等で構成される湿度検出手段を備える。乾燥モードでは、湿度センサで検出された湿度情報に基づき、運転途中において、風路切替ダンパ６Ｂの開度を変更し、循環換気吸込口２０Ｂから吸い込まれた浴室１００の空気ＲＡが第１の吹出口２１Ｂ及び第２の吹出口２２Ｂへ流れる空気量と、換気吹出口２３Ｂへ流れる空気量とを調整しても良い。また、攪拌風路開閉ダンパ９Ｂの開度を変更し、第１の吹出口２１Ｂへ流れる空気量と、第２の吹出口２２Ｂへ流れる空気量とを調整しても良い。
【０１７８】
具体的には、浴室１００の湿度が閾値となる所定の湿度ｈ未満であれば、第１の吹出口２１Ｂ及び第２の吹出口２２Ｂへ流れる空気量を多くする。また、攪拌風路開閉ダンパ９Ｂを開位置にし、第１の吹出口２１Ｂからヒータ５で加熱された空気を吹き出すと共に、第２の吹出口２２Ｂからヒータ５で加熱されない空気を浴室１００内に吹き出して、浴室１００内の空気を攪拌させながら、衣類等の被乾燥物に対して温風が多く当たるようにし、所定の湿度ｈ以上であれば、換気吹出口２３Ａへ流れる空気量を多くして、浴室１００内の湿度を下げる運転を行う。これにより、積極的に浴室１００内の湿度を下げると共に衣類等の被乾燥物に対して温風を当てて乾燥させることができ、乾燥を促進させることができる。浴室１００の温度情報に基づく制御と湿度情報に基づく制御を組み合わせて行っても良い。
【０１７９】
浴室換気乾燥暖房機１Ｂは、循環換気運転モードでは、風路切替ダンパ６Ｂを図６に破線で示す循環換気位置にし、攪拌風路開閉ダンパ９Ｂを破線で示す開位置にし、ヒータ５を非駆動として、循環換気ファンモータ２６Ｂを駆動して羽根車２５Ｂを回転させる。
【０１８０】
循環換気運転モードでは、風路切替ダンパ６Ｂが循環換気位置にあるので、循環換気吸込口２０Ｂから吸い込まれた浴室１００の空気の一部は、第１の吹出口２１Ｂ及び第２の吹出口２２Ｂへと流れる。また、循環換気吸込口２０Ｂから吸い込まれた浴室１００の空気の残部は、換気吹出口２３Ｂへと流れて屋外へ排気される。
【０１８１】
循環換気運転モードでは、第１の吹出口２１Ｂに流れる空気は、ヒータ５が非駆動であるので、フロントパネル４Ｂの第１の吹出口グリル４１Ｂから、室温に応じた空気が吹き出される。
【０１８２】
また、循環換気運転モードでも、攪拌風路開閉ダンパ９Ｂが第２の吹出口２２Ｂを開いているので、第２の吹出口２２Ｂにも空気が流れる。第２の吹出口２２Ｂに流れる空気は、ヒータ５を通らないので、フロントパネル４Ｂの第２の吹出口グリル４２Ｂから、室温に応じた空気が吹き出される。
【０１８３】
浴室換気乾燥暖房機１Ｂでは、循環換気運転モードでも、第２の吹出口グリル４２Ｂから吹き出される風速の速い空気によって、浴室１００の一方の壁面１０６ａに沿って下方に向かい、浴室１００の下層付近を他方の壁面１０６ｂに向かい、他方の壁面１０６ｂに沿って上方に向かう空気の流れを発生させることができる。
【０１８４】
これにより、循環換気運転モードでも、浴室１００内の全体に、空気を攪拌する風の流れを生じさせることができ、浴室１００内で、第１の吹出口グリル４１Ｂから吹き出される空気が直接は当たりにくいような場所でも、空気の流れを生じさせることができる。
【０１８５】
従って、浴室１００の各壁面、床面等の乾燥時間を短縮することができる。また、浴室１００内の空気の一部は屋外に排気されて換気が行われるので、湿気等を排出して、浴室１００の各壁面、床面等の乾燥を促進することができる。
【０１８６】
換気運転モードでは、風路切替ダンパ６Ｂを図６に一点鎖線で示す換気位置にし、攪拌風路開閉ダンパ９Ｂを実線で示す閉位置にし、ヒータ５非駆動として、循環換気ファンモータ２６Ｂを駆動して羽根車２５Ｂを回転させる。
【０１８７】
浴室換気乾燥暖房機１Ｂでは、羽根車２５Ｂが回転することで、フロントパネル４Ｂの吸込口グリル４０Ｂから、浴室１００内の空気が循環換気吸込口２０Ｂに吸い込まれる。
【０１８８】
換気運転モードでは、風路切替ダンパ６Ｂが換気位置にあるので、循環換気吸込口２０Ｂから吸い込まれた浴室１００の空気の略全量が換気吹出口２３Ｂへと流れ、屋外へ排気される。従って、換気運転モードでは、浴室１００内の湯気や湿気を排出して結露等を抑制し、カビの発生を抑えることができる。
【０１８９】
浴室換気乾燥暖房機１Ｂでは、２４時間換気運転モードを備える。２４時間換気運転モードは、浴室換気乾燥暖房機１Ｂが設置された建物内の空気を、所定時間で換気できる風量で上述した換気モードが常時実行される。従って、２４時間換気運転モードでは、室内の空気を新鮮な空気に入れ替えることができる。
【０１９０】
＜第３の実施の形態の浴室換気乾燥暖房機の構成例＞
図１２は、第３の実施の形態の浴室換気乾燥暖房機の制御機能の一例を示すブロック図、図１３は、第３の実施の形態の浴室換気乾燥暖房機を構成する操作部の一例を示す説明図である。第３の実施の形態の浴室換気乾燥暖房機１Ｃの構成は、図１等で説明した第１の実施の形態の浴室換気乾燥暖房機１Ａあるいは図６等で説明した第２の実施の形態の浴室換気乾燥暖房機１Ｂと同等で良い。
【０１９１】
浴室換気乾燥暖房機１Ｃは、ＣＰＵやメモリ等で構成される制御部８１Ｃに、図１等で説明した循環換気ファンモータ２６Ａあるいは図６等で説明した循環換気ファンモータ２６Ｂと、風路切替ダンパ６Ａを駆動するダンパモータ６１Ａあるいは風路切替ダンパ６Ｂ及び攪拌風路開閉ダンパ９Ｂを駆動するダンパモータ６１Ｂと、ヒータ５と、温度センサ７と、操作部８２Ｃ等が接続される。
【０１９２】
操作部８２Ｃは操作手段の一例で、浴室換気乾燥暖房機１Ａの本体と独立したリモートコントロール装置で、浴室１００に隣接する洗面脱衣所の壁面等に取り付けられる。操作部８２Ｃは、図１３に示すように、表示部８３と、各種操作ボタン等を備える。操作ボタンとしては、暖房運転モードを選択する暖房モードボタン８４ａと、乾燥運転モードを選択する乾燥モードボタン８４ｂと、換気運転モードを選択する換気モードボタン８４ｃと、涼風運転モードを選択する涼風モードボタン８４ｄと、２４時間換気運転モードの一時停止及び運転開始を選択する２４時間換気モードボタン８４ｅを備える。
【０１９３】
また、選択した運転モードを利用者が確認できるように、例えば各ボタンに対応してランプ８５ａを備え、選択された運転モードのボタンに対応するランプ８５ａが点灯するようにしても良い。なお、暖房運転モードでは、予備暖房モードと入浴中暖房モードを備えているので、どちらのモードで運転しているかを認識可能とするため、２つのランプ８５ａを備えて、運転中の暖房モードのランプ８５ａを点灯させるようにしても良い。
【０１９４】
更に、タイマボタン８４ｆを備えて、設定した時間に所望の運転モードが実行できるようにしても良い。
【０１９５】
操作部８２Ｃは、省エネモード設定ボタン８４ｇを備える。浴室換気乾燥暖房機１Ｃでは、省エネモード設定ボタン８４ｇが操作されると、エネルギー消費量、本例では消費電力の削減率が運転目標情報として設定される。例えば、省エネモード設定ボタン８４ｇが押される回数で、消費電力の削減率である省エネ率が切り替えられるように構成される。そして、どの省エネ率で運転しているかを認識可能とするため、選択可能な省エネ率に応じた複数個、本例では２つのランプ８５ｂを備えて、運転中の省エネ率を示すランプ８５ｂを点灯させる。
【０１９６】
制御部８１Ｃは制御手段の一例で、図示しないメモリ等に格納されたプログラムよって例えば暖房運転モード、換気運転モード、涼風運転モード及び乾燥運転モードを実行する。本例の浴室換気乾燥暖房機１Ｂでは、暖房運転モードとして、予備暖房モードと入浴中暖房モードを備える。
【０１９７】
これら運転モードは、入浴者等の利用者が操作部８２Ｃを操作すること等により選択される。制御部８１Ｃは、浴室換気乾燥暖房機１Ｃの構成が、第１の実施の形態の浴室換気乾燥暖房機１Ａと同等であれば、選択された運転モードを実行するプログラムに基づき、循環換気ファンモータ２６Ａを駆動して、循環換気ファン２Ａのファン回転数を制御する。また、ヒータ５を駆動してヒータ５の出力を制御する。更に、ダンパモータ６１Ａを制御して風路切替ダンパ６Ａの開度を制御する。
【０１９８】
制御部８１Ｃは、浴室換気乾燥暖房機１Ｃの構成が、第２の実施の形態の浴室換気乾燥暖房機１Ｂと同等であれば、選択された運転モードを実行するプログラムに基づき、循環換気ファンモータ２６Ｂを駆動して、循環換気ファン２Ｂのファン回転数を制御する。また、ヒータ５を駆動してヒータ５の出力を制御する。更に、ダンパモータ６１Ｂを制御して風路切替ダンパ６Ｂの開度を制御する。また、ダンパモータ６１Ｂを制御して風路切替ダンパ６Ｂと連動あるいは独立して攪拌風路開閉ダンパ９Ｂの開度を制御する。以下の説明では、浴室換気乾燥暖房機１Ｃの構成を、第２の実施の形態の浴室換気乾燥暖房機１Ｂと同等の例で説明する。
【０１９９】
浴室換気乾燥暖房機１Ｃでは、浴室換気乾燥暖房機１Ｃが設置された浴室１００の状態、浴室１００に隣接した洗面脱衣所等の他室の状態、操作部８２Ｃでの操作等に基づく状態情報を状態情報取得手段で取得する。浴室換気乾燥暖房機１Ｃでは、取得した状態情報に応じて消費電力が抑制されるように、図６に示す第１の吹出口２１Ｂから吹き出される空気の風量、第１の吹出口２１Ｂから吹き出される空気の温度等、浴室換気乾燥暖房機１Ｃの出力が制御される。また、第２の吹出口２２Ｂから吹き出される空気の有無、風量等、補助風の出力が制御される。
【０２００】
浴室換気乾燥暖房機１Ｃでは、状態情報として、浴室換気乾燥暖房機１Ｃの消費電力の削減率の基準となる運転目標情報が取得される。本例では、操作部８２ｃでの操作で選択された運転目標情報を取得する。上述したように、浴室１００の温度の状態によっては、予め設定されたファン回転数及びヒータ出力で運転が行われると、運転開始時の暖房性能が過剰となり、消費電力が過大となる場合がある。
【０２０１】
そこで、浴室換気乾燥暖房機１Ｃでは、暖房運転モードであれば、操作部８２ｃでの操作で省エネモード設定ボタン８４ｇが押されると、選択された省エネ率に基づき浴室換気乾燥暖房機１Ｃの出力が制御される。
【０２０２】
浴室換気乾燥暖房機１Ｃでは、所望の運転モードが開始される運転開始状態での浴室換気乾燥暖房機１Ｂの出力を制御する基準運転情報として、操作部８２Ｃでの操作で選択された運転目標情報、本例では、省エネモード設定ボタン８４ｇで選択された省エネ率に応じて、循環換気ファン２Ｂのファン回転数とヒータ５の出力と攪拌風路開閉ダンパ９Ｂの開度等が予め設定される。
【０２０３】
また、浴室換気乾燥暖房機１Ｃでは、所望の運転モードが開始され、基準運転情報に基づき循環換気ファン２Ｂのファン回転数とヒータ５の出力と攪拌風路開閉ダンパ９Ｂの開度等が制御された運転状態での出力制御情報として、温度センサ７で検出された温度情報に応じて、循環換気ファン２Ｂのファン回転数とヒータ５の出力と攪拌風路開閉ダンパ９Ｂの開度等が予め設定される。
【０２０４】
図１４は、基準運転情報の他の例を示す説明図である。基準運転情報２００Ｃでは、省エネモード設定ボタン８４ｇでの操作で省エネ率を選択した運転目標情報２０１Ｃに応じて、循環換気ファン２Ｂのファン回転数情報２０２Ｃと、ヒータ５の出力情報２０３Ｃと、攪拌風路開閉ダンパ９Ｂの開度情報２０４Ｃが設定される。
【０２０５】
基準運転情報２００Ｃでは、操作部８２Ｃで省エネ運転が選択されていない標準運転の場合は、循環換気ファン２Ｂのファン回転数が、ファン回転数情報２０２Ｂで「大」に設定され、ヒータ５の出力が、出力情報２０３Ｂで「大」に設定される。また、攪拌風路開閉ダンパ９Ｂの開度が、開度情報２０４Ｂで攪拌風路開閉ダンパ９Ｂを閉じる「閉」に設定される。
【０２０６】
基準運転情報２００Ｃでは、操作部８２Ｃでの操作で所定の省エネ率、本例では省エネ率が２０％に選択されると、循環換気ファン２Ｂのファン回転数が、ファン回転数情報２０２Ｂで「大」に設定され、ヒータ５の出力が、出力情報２０３Ｂで「中」に設定される。また、攪拌風路開閉ダンパ９Ｂの開度が、開度情報２０４Ｂで攪拌風路開閉ダンパ９Ｂを開く「開」に設定される。
【０２０７】
基準運転情報２００Ｃでは、操作部８２Ｃでの操作で所定の省エネ率、本例では省エネ率が４０％に選択されると、循環換気ファン２Ｂのファン回転数が、ファン回転数情報２０２Ｂで「小」に設定され、ヒータ５の出力が、出力情報２０３Ｂで「小」に設定される。また、攪拌風路開閉ダンパ９Ｂの開度が、開度情報２０４Ｂで攪拌風路開閉ダンパ９Ｂを開く「開」に設定される。
【０２０８】
＜第３の実施の形態の浴室換気乾燥暖房機の動作例＞
次に、各図を参照して、第３の実施の形態の浴室換気乾燥暖房機１Ｃの動作例について説明する。
【０２０９】
浴室換気乾燥暖房機１Ｂは、暖房運転モードが選択され、操作部８２Ｃでの省エネモード設定ボタン８４ｇの操作で所定の省エネ率が選択されると、運転目標情報２０１Ｃに基づき、図１４で説明した基準運転情報２００Ｃで循環換気ファン２Ｂのファン回転数とヒータ５の出力が設定され、予備暖房モードが開始される。
【０２１０】
予備暖房モードでは、風路切替ダンパ６Ｂを図６に実線で示す循環位置とし、攪拌風路開閉ダンパ９Ｂを図６に実線で示す閉位置にして、基準運転情報２００Ｃに基づき設定されたファン回転数となるように循環換気ファンモータ２６Ｂを駆動して羽根車２５Ｂを回転させると共に、基準運転情報２００Ｃに基づき設定された出力となるようにヒータ５に通電する。
【０２１１】
暖房運転モードでは、風路切替ダンパ６Ｂが循環位置にあるので、循環換気吸込口２０Ｂから吸い込まれた浴室１００の空気の略全量が、第１の吹出口２１Ｂへと流れ、ヒータ５によって加熱されることで、フロントパネル４Ｂの第１の吹出口グリル４１Ｂから温風が吹き出される。
【０２１２】
暖房運転モードでは、省エネモードが選択されていない場合、基準運転情報２００Ｃのファン回転数情報２０２Ｃで、循環換気ファン２Ｂのファン回転数が、予備暖房モードでの標準状態である「大」に設定され、出力情報２０３Ｂでヒータ５の出力が予備暖房モードでの標準状態である「大」に設定される。
【０２１３】
一方、操作部８２Ｃでの省エネモード設定ボタン８４ｇの操作で所定の省エネ率が選択されると、選択された省エネ率に応じて、例えば、選択された省エネ率が２０％であれば、基準運転情報２００Ｃのファン回転数情報２０２Ｃで循環換気ファン２Ｂのファン回転数が「大」に設定され、出力情報２０３Ｃでヒータ５の出力が「中」に設定される。また、選択された省エネ率が４０％であれば、基準運転情報２００Ｃのファン回転数情報２０２Ｃで循環換気ファン２Ｂのファン回転数が「小」に設定され、出力情報２０３Ｃでヒータ５の出力が「小」に設定される。省エネモードが選択された場合は、本例では、攪拌風路開閉ダンパ９Ｂを開く。
【０２１４】
これにより、入浴者の利用者が選択した省エネ率に応じて、ファン回転数及びヒータ出力を標準と比較して下げることで、消費電力を抑えながら、浴室１００内の温度を入浴に適した温度に上昇させることができる。よって、利用者の省エネ意識に合わせた運転を実行できる。
【０２１５】
また、攪拌風路開閉ダンパ９Ｂを開位置にすると、浴室１００の天井付近に溜まった暖かい空気を、床面側へと対流させることができ、浴室１００内の温度が床面側と天井側で異なる層化の発生を抑制することができる。
【０２１６】
予備暖房モードでは、基準運転情報２００Ｃで設定された循環換気ファン２Ｂのファン回転数とヒータ５の出力が、温度センサ７で検出された温度情報に基づき、出力制御情報で切り替えられる。これにより、浴室１００内の温度が低い場合はヒータ５の出力を上げる、浴室１００内の温度が高い場合はヒータ５の出力を下げる等の制御が可能で、暖房能力の過不足を解消することができる。
【０２１７】
暖房運転モードが開始されて所定時間が経過すると、予備暖房モードを入浴中暖房モードに切り替える。入浴中暖房モードでは、基準運転情報２００Ｃで設定された循環換気ファン２Ｂのファン回転数とヒータ５の出力が、温度センサ７で検出された温度情報に基づき、出力制御情報で切り替えられる。これにより、浴室１００内の温度が低い場合はヒータ５の出力を上げる、浴室１００内の温度が高い場合はヒータ５の出力を下げる等の制御が可能で、暖房能力の過不足を解消することができる。
【０２１８】
浴室換気乾燥暖房機１Ｃで実行される他の運転モードは、第２の実施の形態の浴室換気乾燥暖房機１Ｂの動作と同等であるが、例えば、乾燥運転モードでは、操作部８２Ｃでの省エネモード設定ボタン８４ｇの操作で選択された省エネ率に応じて、循環換気ファン２Ｂのファン回転数とヒータ５の出力、及び、攪拌風路開閉ダンパ９Ｂの開閉を制御することとしてもよい。
【０２１９】
図１５は、第３の実施の形態の浴室換気乾燥暖房機を構成する操作部の他の例を示す説明図である。図１３で説明した操作部８２Ｃでは、省エネ運転の有無及び省エネ率を選択する省エネモード設定ボタン８４ｇを、運転モードを選択するボタンとは独立して設けたが、操作部８２Ｄでは、運転モードを選択するボタンを押す回数で、省エネ運転の有無及び省エネ率を選択可能としても良い。
【０２２０】
本例では、ヒータ５を使用する暖房運転モードを選択する暖房運転モードを選択する暖房モードボタン８４ａ、及び、乾燥運転モードを選択する乾燥モードボタン８４ｂが押される回数で、省エネ運転の有無及び省エネ率が選択される。そして、どの省エネ率で運転しているかを認識可能とするため、選択可能な省エネ率に応じた複数個、本例では２つのランプ８５ｂを備えて、運転中の省エネ率を示すランプ８５ｂを点灯させる。
【０２２１】
＜浴室換気乾燥暖房機の変形例＞
浴室１００の状態を判断する基準となる環境把握情報として、浴室１００に備えた各種操作部に設けた温度センサで浴室１００の温度を取得することとしても良い。また、浴室１００に隣接した洗面脱衣所に備えた各種操作部に設けた温度センサで、浴室近傍の温度を取得することとしても良い。更に、浴室１００や浴室近傍の湿度を検出する湿度センサで湿度を検出することとしても良い。
【０２２２】
また、季節を判断するため、カレンダー情報や日時情報を取得する手段を備えても良い。
【０２２３】
更に、基準運転情報に基づく設定で運転開始後、温度センサで検出される浴室の温度等の環境把握情報に基づき、消費電力が抑制される他の運転モードへの移行、例えば、ファン回転数及びヒータ出力が高い予備暖房モードから、ファン回転数及びヒータ出力を低下させた入浴中暖房モードへの移行を行う制御を行ってもよい。
【０２２４】
また、基準運転情報で運転開始時のファン回転数を「小」、ヒータ出力を「小」に設定し、基準運転情報に基づく設定で運転開始後、温度センサで検出される浴室の温度、時間の経過等の環境把握情報に基づき、風量及び発熱量が過不足とならないように、ファン回転数及びヒータ出力を制御することとしても良い。また、基準運転情報で運転開始時のファン回転数を「小」、ヒータ出力を「小」に設定し、基準運転情報に基づく設定で運転開始後、操作部８２での操作等に基づきファン回転数及びヒータ出力を制御することとしても良い。運転開始時の出力を抑えることで、消費電力を削減できると共に、利用者が短時間で暖房を行いたいと判断した場合等は、ファン回転数及びヒータ出力を上げることで、風量及び発熱量が不足とならないような制御が可能である。
【０２２５】
送風補助手段として、ヒータを通さない風路を設けて補助風を送風できるようにし、温度センサで検出される浴室の温度等の環境把握情報に基づき、補助風の出力の有無を切り替えることとしたが、攪拌風路開閉ダンパの開度の制御等で、補助風の風量を切り替えられるようにしてもよい。
【０２２６】
また、送風補助手段として、ヒータを通して吹き出される空気の吹き出し方向を制御する電動ルーバを備え、環境把握情報に基づき、温風の吹き出し方向を切り替えられるようにしてもよい。
【０２２７】
暖房運転モードでは、温度センサで検出される浴室の温度、湿度センサで検出される浴室の湿度が閾値を超えて急激に変化した場合、入浴が開始されたと判断し、ファン回転数及びヒータ出力が高い予備暖房モードから、ファン回転数及びヒータ出力を低下させた入浴中暖房モードへの移行を行う制御を行ってもよい。
【産業上の利用可能性】
【０２２８】
本発明は、ヒータ等のエネルギー消費が大きな構成要素を備えた装置に適用される。
【符号の説明】
【０２２９】
１Ａ〜１Ｃ・・・浴室換気乾燥暖房機、２Ａ,２Ｂ・・・循環換気ファン、２６Ａ,２６Ｂ・・・循環換気ファンモータ、５・・・ヒータ、７・・・温度センサ、８１Ａ〜８１Ｃ・・・制御部、１００・・・浴室
【図１】
2015146833.tif 000003
【図２】
2015146833.tif 000004
【図３】
2015146833.tif 000005
【図４】
2015146833.tif 000006
【図５】
2015146833.tif 000007
【図６】
2015146833.tif 000008
【図７】
2015146833.tif 000009
【図８】
2015146833.tif 000010
【図９】
2015146833.tif 000011
【図１０】
2015146833.tif 000012
【図１１】
2015146833.tif 000013
【図１２】
2015146833.tif 000014
【図１３】
2015146833.tif 000015
【図１４】
2015146833.tif 000016
【図１５】
2015146833.tif 000017